(57)【特許請求の範囲】
【請求項１】
流体を供給し、および／または排出するための少なくとも１つの連結部４２を有する透析、血液濾過あるいは限界濾過用のフィルタモジュールであって、前記少なくとも１つの連結部４２が閉鎖要素１０を備えたフィルタモジュールを有する医療器具において、
前記閉鎖要素１０が、自動的に閉鎖するスリット状のくぼみ１４１を有する第一の壁部１４を備え、前記スリット状のくぼみ１４１が、微生物不透性状態で閉鎖するように構成され、
さらに、前記第一の壁部１４に隣接し、前記閉鎖要素１０を前記連結部４２にシール可能に連結する固定手段を備えた
ことを特徴とする医療器具。
【請求項２】
前記閉鎖要素１０が、実質的に円筒状をなし、前記固定手段が円筒状表面によって形成され、自動的に閉鎖する前記スリット状のくぼみ１４１が、前記円筒形状の一方の端面部に配置されたことを特徴とする請求項１に記載の医療器具。
【請求項３】
前記閉鎖要素１０が、対称になるように設計されたことを特徴とする請求項１または２に記載の医療器具。
【請求項４】
自動的に閉鎖する前記スリット状のくぼみ１４１が、十字状あるいは星形状に設計されたことを特徴とする請求項１ないし３のいずれか１項に記載の医療器具。
【請求項５】
さらに、自動的に閉鎖する前記スリット状のくぼみ１４１を有する前記第一の壁部１４の反対側に、第二の壁部１２が設けられ、前記第二の壁部１２が、流体が通るための開口部１２１を備えたことを特徴とする請求項１ないし４のいずれか１項に記載の医療器具。
【請求項６】
自動的に閉鎖する前記スリット状のくぼみ１４１の中央領域と、前記開口部１２１とが、互いに整列していることを特徴とする請求項５に記載の医療器具。
【請求項７】
前記第二の壁部１２の前記開口部１２１のまわりに延びる領域が、前記連結部４２に連結可能な連結要素５０の連結方向に実質的に垂直に延びる面内に位置していることを特徴とする請求項５または６に記載の医療器具。
【請求項８】
前記閉鎖要素１０が、一つの片によって構成されたことを特徴とする請求項１ないし７のいずれか１項に記載の医療器具。
【請求項９】
自動的に閉鎖する前記スリット状のくぼみ１４１を有する前記第一の壁部１４または前記閉鎖要素１０の全体が、プラスチック材料によって形成されたことを特徴とする請求項１ないし８のいずれか１項に記載の医療器具。
【請求項１０】
前記プラスチックがシリコーンであることを特徴とする請求項９に記載の医療器具。
【請求項１１】
自動的に閉鎖する前記スリット状のくぼみ１４１を有する前記閉鎖要素１０の第一の壁部１４が、半径方向に作用するスプリング要素１４５を備えたことを特徴とする請求項１ないし１０のいずれか１項に記載の医療器具。
【請求項１２】
前記スプリング要素１４５が、前記第一の壁部１４の頂部側および／または底部側上に、交互にあるいは単独で設けられた凹部１４７によって形成されていることを特徴とする請求項１１に記載の医療器具。
【請求項１３】
前記凹部１４７が、部分的に、円形形状をなしていることを特徴とする請求項１２に記載の医療器具。
【請求項１４】
自動的に閉鎖する前記スリット状のくぼみ１４１の長手方向に延びる前記第一の壁部１４の領域１４９内には、スプリング要素が設けられていないことを特徴とする請求項１１ないし１３のいずれか１項に記載の医療器具。
【請求項１５】
前記閉鎖要素１０の自動的に閉鎖する前記スリット状のくぼみ１４１が、プラスマイナス０．２５バールの圧力差まで、微生物不透性状態で閉鎖可能に構成されたことを特徴とする請求項１ないし１４のいずれか１項に記載の医療器具。
【請求項１６】
前記閉鎖要素１０を、インライン滅菌消毒に使用することを特徴とする請求項１ないし１５のいずれか１項に記載の透析、血液濾過あるいは限界濾過用のフィルタモジュール状の医療器具の使用方法。
【請求項１７】
前記閉鎖要素１０の前記固定手段が、突出した連結部またはソケット状の連結部の上側または内側に、前記閉鎖要素１０を嵌合可能に構成されていることを特徴とする請求項１６に記載の医療器具の使用方法。
【請求項１８】
前記閉鎖要素１０の内側表面が、突出した連結部４２の外側表面に、微生物不透性状態で連結され、または、前記閉鎖要素１０の外側表面が、前記ソケット状の連結部の内側表面に、微生物不透性状態で連結されるように、前記閉鎖要素１０が構成されたことを特徴とする請求項１ないし１７のいずれか１項に記載の医療器具。
【請求項１９】
前記医療器具の少なくとも２つの連結部に、請求項１ないし１５に記載された前記閉鎖要素１０が設けられたことを特徴とする医療器具。
【発明の詳細な説明】
【０００１】
【産業上の利用分野】
本発明は、流体を供給し、および／または、排出するための連結部を有する透析、血液濾過あるいは限界濾過用のフィルタモジュールであって、連結部が閉鎖要素を有するフィルタモジュールを備えた医療器具およびその使用方法に関するものである。
【０００２】
かかるフィルタモジュールの製造にあたっては、現実の製造プロセスの後に、フィルタモジュールを滅菌消毒するとともに、微生物や汚れたピテムス（ｐｉｔｅｍｓ）の浸透などの外部の影響から、フィルタモジュールを保護することが必要とされる。フィルタモジュールを滅菌消毒する一つの方法は、いわゆるイン‐ライン滅菌消毒法で、この方法では、フィルタモジュールの内側領域は消毒されるが、フィルタモジュールの外側は消毒されない。滅菌消毒工程中あるいは滅菌消毒工程後に、フィルタモジュールの連結部に、隙間が生ずることは不可避であるので、滅菌消毒中あるいは滅菌消毒デバイスを取り去った後に、フィルタモジュールの内部に、汚染や汚れが発生しないように、フィルタモジュールはシールされなければならない。
【０００３】
ヨーロッパ特許第３５２，５４０号は、２つの部分からなる一般的な閉鎖要素を開示しており、この閉鎖要素においては、閉鎖要素の第一の部分は、フィルタモジュールあるいは透析器の連結部に取り付けられ、閉鎖要素の第二の部分は、閉鎖要素の第一の部分の収容スペース内に収容される。それは、この収容スペース内の開放位置と閉鎖位置との間を移動可能に配置される。したがって、開放位置においては、滅菌消毒媒体の通過、すべてのシール表面および誘導表面の滅菌消毒が実現され、閉鎖位置においては、透析器を、確実にシールすることが可能となる。
【０００４】
【発明が解決しようとする課題】
かかる閉鎖要素は、フィルタモジュールを確実にシールすることを保証することができるが、構造が比較的複雑になるという欠陥を有している。
【０００５】
したがって、本発明は、簡易な構造を有し、確実に、滅菌消毒を可能とすることを保証するように、改良された閉鎖要素を有するフィルタモジュールを備えた医療器具およびその使用方法を提供することを目的とするものである。
【０００６】
【課題を解決するための手段】
本発明のかかる目的は、流体を供給し、および／または排出するための少なくとも１つの連結部４２を有する透析、血液濾過あるいは限界濾過用のフィルタモジュールであって、前記少なくとも１つの連結部４２が閉鎖要素１０を備えたフィルタモジュールを有する医療器具において、
前記閉鎖要素１０が、自動的に閉鎖するスリット状のくぼみ１４１を有する第一の壁部１４を備え、前記スリット状のくぼみ１４１が、微生物不透性状態で閉鎖するように構成され、
さらに、前記第一の壁部１４に隣接し、前記閉鎖要素１０を前記連結部４２にシール可能に連結する固定手段を備えた
ことを特徴とする医療器具によって達成される。
【０００７】
このような閉鎖要素は簡単な構造を有し、自動的に閉じるスリット状くぼみのために、滅菌消毒中および滅菌消毒の後に、本発明にかかる閉鎖要素を備えたフィルタモジュールなどの医療具の信頼性が高く、滅菌消毒されたシールを提供する。たとえば、滅菌消毒デバイスや透析装置の連結部などの適当な連結要素が挿入されると、本発明にかかる閉鎖要素のスリット状くぼみは、連結要素の形状にしたがって、わずかに、あるいは、完全に開かれる。
【０００８】
滅菌消毒あるいは処理の後に、本発明にかかる閉鎖要素から、連結要素が取り除かれると、スリット状くぼみは、自動的に閉じ、その結果、本発明にかかる閉鎖要素によってシールされた医療具の漏れだけでなく、滅菌消毒された領域が汚染されることが防止される。
【０００９】
閉鎖要素が、本質的に円筒形状を有し、円筒状表面によって形成された取り付け手段と、円筒形状の端面部の一方に配置されたスリット状のくぼみを有していると、とくに好ましい。閉鎖要素は、円筒状表面によって、医療具に、微生物不透性の閉鎖部を形成する。このように、閉鎖要素をカップ状に設計すると、供給され、取り除かれる流体が、流路内を、単純な線形経路に沿って、流れ、閉鎖要素を通過するので、その結果として、スリット状くぼみを適切に配置することによって、デッドゾーンが生成されることを効果的に防止することができるという利点が得られる。これにより、閉鎖要素内における滞留時間が異なるため、異なる活性成分を含む混合物や医薬などの異なる流体が混合することを防止することが可能になるという利点が得られる。
【００１０】
本発明の別の好ましい実施態様においては、対称に設計された閉鎖要素が提供される。このように、対称に設計すると、閉鎖要素の製造が簡易化されるだけでなく、取り扱いも簡易化され、さらに、閉鎖要素を、たとえば、フィルタモジュールの連結部に取り付け、使用することが簡易化される。
【００１１】
本発明の好ましい実施態様においては、十字形状あるいは星形状に設計されたスリット状のくぼみが提供される。スリット状のくぼみを十字形状あるいは星形状に設計することによって、くぼみを単純な線形形状に設計する場合に比して、種々の形状および種々の径の連結部に対するフレキシビリティと適合性が向上する。
【００１２】
流体が通るための開口部を有する別の壁部を、くぼみを有する壁部の反対側に設けることもできる。くぼみの中央領域と、開口部は整列させることができる。
【００１３】
本発明の別の好ましい実施態様においては、他の壁部の開口部のまわりに延びる領域が、連結部に連結可能な連結要素の結合方向に本質的に垂直に延びる面内に位置するように設けられている。このように構成することによって、本発明にかかる閉鎖要素が、さらに、たとえば、透析装置やフィルタモジュールの連結要素に強固な連結部を提供するという機能を有するという効果が得られる。
【００１４】
本発明にかかる閉鎖要素１０が、一つの片によって構成されていると、とくに好ましい。これによって、製造プロセスにおいて、対応した効果を得ることが可能になる。
【００１５】
くぼみあるいは閉鎖要素の全体が、プラスチックによって形成されていると、とくに好ましい。このように構成することによって、適切なプラスチックを選択すれば、閉鎖要素の可撓性および弾力性を、広い範囲で、変化させることができる。さらに、適切なプラスチックを選択すれば、使用される流体あるいは種々の活性成分を含んだ混合物との適合性を達成することができる。閉鎖要素のくぼみを有する壁部あるいは閉鎖要素全体に、プラスチックを使用することはまた、簡易で、低コストの製造プロセスのため、多様性に富んだ種々態様および設計の閉鎖要素を製造することができるという効果を有している。プラスチックがシリコンであると、とくに好ましい。
【００１６】
スリット状のくぼみを有する閉鎖要素の壁部が、半径方向に作用するスプリング要素を備えていると、とくに好ましい。このように構成することによって、スプリング要素の経路を横切る方向における半径方向応力を、低減することが可能になる。これによって、壁部内のくぼみが優れたシール特性を有するようにすることができる。
【００１７】
本発明の他の実施態様においては、スプリング要素が、壁部の頂部側および／または底部側上に、交互にあるいは単独で設けられた凹部によって形成されている。凹部は、部分的に、円形に設計されてもよい。
【００１８】
スリット状のくぼみの長手方向に延びる壁部の領域内に、スプリング要素が設けられていないと、とくに好ましい。このように構成することによって、スリットの方向に作用する半径方向力を増大させ、スリット状のくぼみをとくに強固に形成することができる。
【００１９】
本発明のさらに他の実施態様においては、閉鎖要素のスリット状のくぼみが、プラスマイナス０．２５バールまでの圧力差において、微生物不透性の閉鎖部を形成するように構成されている。
【００２０】
本発明はまた、本発明にかかる閉鎖要素を、医療具上の連結部の滅菌消毒に使用する方法を提供するものである。
【００２１】
好ましい実施態様においては、医療具は、透析、血液濾過あるいは限界濾過用のフィルタモジュールであり、閉鎖要素は、フィルタモジュールのイン‐ライン滅菌消毒に使用される。
【００２２】
本発明の別の好ましい実施態様においては、閉鎖要素の取り付け手段が、閉鎖要素を突出した連結部上に置くことができるか、あるいは、ブッシュ状の連結部内に挿入することができるように、設計されている。
【００２３】
本発明はまた、流体を供給および／または取り去る一または二以上の連結部を有する医療具であって、少なくとも一つの連結部が、本発明にかかる閉鎖要素を備えた医療具を提供するものである。医療具は、透析、血液濾過あるいは限界濾過用のフィルタモジュールを含んでいる。
【００２４】
閉鎖要素１０の内側表面が、突出する連結要素の外側表面に、微生物不透性の閉鎖部によって、連結されるか、あるいは、閉鎖要素の外側表面が、ブッシュ状の連結部の内側表面に、微生物不透性の閉鎖部によって連結されるように、閉鎖要素が設計されていると、とくに好ましい。
【００２５】
本発明の別の好ましい実施態様においては、医療具の少なくとも二つの連結部が、本発明かかる閉鎖要素を備えている。
【００２６】
【発明の好ましい実施の形態】
以下、添付図面に基づいて、本発明にかかる好ましい実施態様につき、詳細に説明を加える。
【００２７】
図１は、本発明にかかる閉鎖要素の第一の実施態様と、閉鎖要素を収容するハウジング内の対応する凹部の縦断面図である。
【００２８】
図１に示されるように、本発明の好ましい実施態様にかかる閉鎖要素１０は、平行に延びる壁部１２と壁部１４を備えている。双方の壁部１２、１４は、中空の円筒状空間２０の境界を画定しており、この中空の円筒状空間２０はまた、壁部１２、１４に連結された円筒形表面によっても画定され、固定手段として機能する。壁部１２、１４は、閉鎖要素１０の円筒形表面に、直角の角度で隣接している。
【００２９】
壁部１４は、中央部分１４３を有し、スリット形状の自動的に閉じるくぼみ１４１を有している。壁部１２は、本実施態様においては、円形に設計された中央開口部１２１を有している。開口部１２１および壁部１４内のくぼみ１４１の中央部分１４３は、本実施態様にかかる閉鎖要素１０が、線形結合要素として使用可能なように、互いに整列している。
【００３０】
図１の右側は、本発明にかかる閉鎖要素１０を収容するハウジング開口、たとえば、フィルタモジュール内のハウジング開口を示している。これもまた、円筒状に設計され、操作の開始前に、閉鎖要素１０を、ぴったりと合うように、収容するように構成されていることが好ましい。ハウジングの凹部内に、閉鎖要素１０が確実に位置するように、閉鎖要素１０の外径は、ハウジングの凹部の内径よりもわずかに大きい。これはまた、ハウジングと閉鎖要素１０との間に、確実で、かつ、微生物不透性のシールを生成する。
【００３１】
図２は、図１のＡ−Ａ線から見た本発明の実施態様にかかるシール要素１０、すなわち、閉鎖要素１０の平面図であり、図３は、図１のＢ−Ｂ線から見た本発明の実施態様にかかる閉鎖要素１０の平面図である。
【００３２】
図２における実線は、閉鎖要素１０の目に見える輪郭に対応するものであり、一方、破線は、ここに示された図面においては、目に見えない切断エッジを表わしている。図２は、中央部分１４３を備え、自動的に閉じるスリット状のくぼみ１４１を有する壁部１４の左側の閉鎖要素１０を示している。中空円筒状空間の円筒形表面は、図２において、最も外側の実線および内側にオフセットした破線によって表わされている。図３は、壁部１４と反対側の右側にある壁部１２を示している。円形の中央開口部１２１がこの壁部１２に形成されている。
【００３３】
図２および図３は、開口部１２１と、スリット状くぼみ１４１の中央部分１４３が、どのように整列されているかを示すものである。スリット状くぼみ１４１は、図３においては、開口部１２１の内部で、見えるだけであるため、部分的に破線で示されている。
【００３４】
図４は、滅菌消毒工程中の本発明の実施態様にかかる閉鎖要素の縦断面図である。
【００３５】
図４に示されるように、左側から挿入される滅菌消毒デバイスの連結部は、まず、壁部１４に接触し、さらに挿入されることによって、弾性を有する壁部１４を変形させ、使用されていないときは、閉じられているスリット状くぼみ１４１が広げられて、流入、流出する滅菌消毒媒体のための開口を形成するように、挿入される。滅菌消毒媒体には、液体、ガスあるいは蒸気状のいずれもが含まれている。図４に示された実施態様においては、シールが、シールリング３０によって、滅菌消毒デバイス上に形成され、閉鎖要素１０を収容するハウジング上に、シールが形成される。滅菌消毒液は、次いで、開口部１４１を通過して、シール要素１０、すなわち、閉鎖要素１０の中空円筒状空間２０に流入し、ハウジングと接触しているガスケット３０、すなわち、シールリング３０に延びる環状領域内に流入する。変形されて、開口部を生成しているスリット状くぼみ１４１を通過した後、液体は、開口部１２１を通って、滅菌消毒されるべき部分、たとえば、透析器フィルタ内に流入する。このプロセスの最後で、滅菌消毒デバイスの連結部が取り除かれた後に、閉鎖要素１０の壁部１４は、元の形状に、変形されて、開口部は閉じ、再び、スリット状くぼみ１４１が形成される。形成されたスリット状くぼみ１４１は、滅菌消毒された部分をしっかりとシールし、その結果、たとえば、滅菌消毒液の漏れや滴下が防止されるとともに、望ましくない物質や微生物の浸透が防止される。
【００３６】
図５は、意図されたように、使用されている本発明の実施態様にかかる閉鎖要素１０を示す縦断面図である。
【００３７】
図５に示されるように、連結要素は、ここに、壁部１４内のスリット状くぼみ１４１を通じて、連結部の端側部が、閉鎖要素１０の中空空間２０に隣接する壁部１２の側部と接触するまで、挿入される。連結要素の直径に応じて、スリット状くぼみ１４１の両側の壁部１４の領域は、図５に示されるように、壁部１２の方向に湾曲される。供給され、取り除かれた流体は、次いで、連結部の開口部を通り、壁部１２内の開口部１２１を通って、連結された透析器フィルタなどの連結された部分に流入し、連結された部分から流出する。連結部の端側部の壁部１２の内部に対するしっかりしたシールのために、強固で、したがって、微生物不透性の連結が実現される。さらに、図５は、連結要素と閉鎖要素の好ましいコーディネーション（ｃｏｏｒｄｉｎａｔｉｏｎ）を通じて、どのように、直線状の液体流路が形成され、その結果、望ましくないデッドゾーンができることを大幅に防止することができるかを示している。
【００３８】
処理の最後に、連結要素が後退され、壁部１４の領域は、元の形状に復帰し、図２および図３に示されるように、再び、強固にシールされたスリット状くぼみ１４１が形成される。
【００３９】
図４および図５に示された実施態様によれば、滅菌消毒時にも、本発明にかかる閉鎖要素の意図された使用時にも、サイクル（ｃｙｃｌｅ）あるいは連結された部分に入り込む微生物はない。さらに、本発明にかかる閉鎖要素１０を、対応するハウジングの凹部から、容易に取り除くことができ、簡単で、費用のかからない置き換えが可能になるという別の利点もある。このことは、連結されるべき部分を、無菌で、かつ、衛生的に、つねに連結することができ、移送される流体の汚染を防止することができることを意味している。
【００４０】
図６ないし図８は、本発明にかかる閉鎖要素の第二の実施態様を示すものであり、図６は、本発明の第二の実施態様にかかる閉鎖要素１０の端面図であり、図７は、図６に示されるＡ−Ａ線に沿った閉鎖要素の縦断面図、図８は、連結要素に連結された直後の図６に示された本発明にかかる閉鎖要素の縦断面図である。
【００４１】
閉鎖要素１０は、円筒形状を有し、図６の端面において、目に見える壁部１４内の自動的に閉じるスリット状のくぼみ１４１を備えている。スリット状くぼみ１４１の左右に延びる領域内に、複数のスプリング要素１４５が配置されている。これらのスプリング要素１４５は、壁部１４の断面を減少させることによって、スプリング要素１４５の経路を横切る方向における半径方向の引張力を減少させる働きを有している。
【００４２】
とくに、図７の縦断面図に示されるように、本実施態様にかかるスプリング要素１４５は、壁部１４の頂側と底側に、交互に配置された複数の凹部１４７を備えている。このように、壁部１４の断面積を減少させることによって、望ましいスプリング作用が得られる。
【００４３】
図６は、スプリング要素１４５が、壁部１４内の自動的に閉じるスリット状のくぼみ１４１のまわりで、完全には伸びておらず、そのまわりで、部分的に伸びているのみで、くぼみ１４１の長手方向に延びる領域内には、設けられていない状態を示している。これによって、作用する半径方向の力が、閉鎖方向に、増大し、その結果、くぼみ１４１を、とくに、効果的に、かつ、微生物不透性に閉鎖することができるという効果が得られる。このように、スプリング要素を備えるように、閉鎖要素１０を設計することによって、壁部１４内のくぼみ１４１のシール特性を改良することができる。
【００４４】
スプリング領域１４５は、閉鎖要素１０がシリコンによって生成されている本実施態様の場合には、くぼみ１４１がなく、シール効果が失われているアンロード状態において、プラスマイナス０．２５バールの圧力差が許容できるように設計されると、好ましい。
【００４５】
図７の縦断面図はまた、壁部１４に垂直に延び、固定手段として作用する円筒形ジャケットが、その端部領域に、周囲の突起部１３１を有していることを示している。この突起部１３１は、対応する凹部内の閉鎖要素１０を、図８に示される連結要素４２と係合させ、閉鎖要素１０を、そこに、確実に固定するように作用する。
【００４６】
図８は、図６および図７に示された実施態様における挿入された閉鎖要素１０の縦断面を示している。ここに、閉鎖要素１０は、突出している連結要素４２上に位置し、周囲の突起部１３１によって、ロックされている。
【００４７】
壁部１４の領域１４２内に、矢印の方向に、機械的におよび／または空気圧的におよび／または油圧的に生成された圧力が加えられるときは、くぼみ１４１はわずかに、あるいは、完全に開かれる。
【００４８】
滅菌消毒されたシールを保証するためには、壁部１４内のスリット状のくぼみ１４１を強固にシールさせるだけでなく、閉鎖要素１０と連結要素４２との間に、耐シール性の連結部を生成することが必要である。これは、閉鎖要素１０を、固定手段を形成するその円筒状表面が、外側上だけでなく、内側上にも、適合するように、設計することによって実現される。その結果、装着され、あるいは、挿入された閉鎖要素１０によって、内表面と連結要素４２の外表面との間および外表面とブッシュ状の連結要素の内表面との間に、微生物不透性のシールが確実に生成される。
【００４９】
本発明は、以上の実施態様に限定されることなく、特許請求の範囲に記載された発明の範囲内で種々の変更が可能であり、それらも本発明の範囲内に包含されるものであることがいうまでもない。
【００５０】
【発明の効果】
本発明によれば、従来の閉鎖要素を、簡易な構造を有し、確実に、滅菌消毒を可能とすることを保証するように、改良された閉鎖要素および閉鎖要素の使用方法ならびに連結部に閉鎖要素を備えた医療具を提供することが可能となる。
【図面の簡単な説明】
【図１】図１は、本発明にかかる閉鎖要素の第一の実施態様と、閉鎖要素を収容するハウジング内の対応する凹部の縦断面図である。
【図２】図２は、図１のＡ−Ａ線から見た平面図である。
【図３】図３は、図１のＢ−Ｂ線から見た平面図である。
【図４】図４は、滅菌消毒工程中の図１に示された閉鎖要素の縦断面図である。
【図５】図５は、意図されたように、使用されている図１に示された閉鎖要素の縦断面図である。
【図６】図６は、本発明の第二の実施態様にかかるスプリング要素を備えた閉鎖要素の上面図である。
【図７】図７は、図６に示されるＡ−Ａ線に沿った閉鎖要素の縦断面図である。
【図８】図８は、連結要素に連結された直後の図６に示された本発明にかかる閉鎖要素の縦断面図である。
【符号の説明】
１０  閉鎖要素
１２  壁部
１４  壁部
２０  円筒状空間
３０  シールリング（ガスケット）
４２  連結要素
１２１  開口部
１３１  突起部
１４１  スリット状くぼみ
１４３  スリット状くぼみの中央部分
１４５  スプリング要素
１４７  スプリング要素の凹部
【図１】
0004630411.tif 000002
【図２】
0004630411.tif 000003
【図３】
0004630411.tif 000004
【図４】
0004630411.tif 000005
【図５】
0004630411.tif 000006
【図６】
0004630411.tif 000007
【図７】
0004630411.tif 000008
【図８】
0004630411.tif 000009